(57)【特許請求の範囲】
【請求項１】
細長いハンドグリップ部分およびマウンティング部分（２２）を有するハンドル（２０）と、
シェーバーヘッド（４０）がマウンティング部分（２２）に取り付けられ、シェーバーヘッド（４０）がバック構造体（４８）を有する、シェーバーヘッド（４０）と、
カートリッジ（６０）が少なくとも１つのブレード（６３）を備え、カートリッジ（６０）が前記シェーバーヘッド（４０）に取り付けられ且つ前記シェーバーヘッド（４０）から外されるように構成されている、取り外し可能なカートリッジ（６０）と、
ボタン（５０）がシェーバーヘッド（４０）に設けられ、ボタン（５０）がスライド可能であり、ボタン（５０）がカートリッジ（６０）をシェーバーヘッド（４０）にまたはシェーバーヘッド（４０）から取り付けおよび外れるように構成されている、ボタン（５０）と、
を備えるシェーバー。
【請求項２】
前記シェーバーヘッド（４０）が、マウンティング部分に枢動可能に取り付け可能である請求項１に記載のシェーバー。
【請求項３】
前記ボタン（５０）が、ホールド部分（５０Ｂ）を備え、前記ホールド部分（５０Ｂ）が、前記カートリッジ（６０）を前記シェーバーヘッド（４０）に取り付けるように構成されている請求項１または２に記載のシェーバー。
【請求項４】
前記ボタン（５０）が本体（５０Ｆ）をさらに備え、前記カートリッジがホルダ（６５）をさらに備え、ホールド部分（５０Ｂ）が前記本体（５０Ｆ）から突出するピンであり、かつ前記ホールド部分が前記ホルダ（６５）と協働して前記カートリッジ（６０）を前記シェーバーヘッド（４０）に取り付ける請求項３に記載のシェーバー。
【請求項５】
前記ボタン（５０）が、シェービング面と平行な方向にスライド可能である請求項１から４のいずれか一項に記載のシェーバー。
【請求項６】
前記ボタン（５０）が、指受け領域（５０Ａ）と、側壁（５０Ｃ）と、底部（５０Ｄ）と、本体（５０Ｆ）と、ホールド部分（５０Ｂ）と、を備え、前記指受け領域（５０Ａ）、前記側壁（５０Ｃ）、および前記底部（５０Ｄ）がフレームを形成し、かつ前記本体（５０Ｆ）が、前記指受け領域（５０Ａ）に向かって突出する底部（５０Ｄ）に設けられている請求項１から５のいずれか一項に記載のシェーバー。
【請求項７】
前記ボタン（５０）が中立位置を規定し、かつ前記シェーバーヘッド（４０）がリターンスプリング（５１）をさらに備え、前記リターンスプリング（５１）は前記ボタン（５０）を中立位置に戻すように構成されている請求項１から６のいずれか一項に記載のシェーバー。
【請求項８】
前記ボタンが、前記カートリッジ（６０）を外す場合、前記カートリッジ（６０）をシェービング方向に対して直角方向にイジェクトするように構成されている請求項１から７のいずれか一項に記載のシェーバー。
【請求項９】
前記シェーバーヘッド（４０）が、前記カートリッジ（６０）を前記シェーバーヘッド（４０）からイジェクトするように構成されている少なくとも１つのリーフスプリング（４５）をさらに備える請求項１から８のいずれか一項に記載のシェーバー。
【請求項１０】
前記シェーバーヘッド（４０）が側壁（４２）を備え、かつ前記シェーバーヘッド（４０）が一対のリーフスプリング（４５）をさらに備え、前記リーフスプリング（４５）が前記側壁（４２）に隣接して設けられている請求項９に記載のシェーバー。
【請求項１１】
前記ボタン（５０）のホールド部分（５０Ｂ）は、前記カートリッジ（６０）のホルダ（６５）と係合し、したがって前記カートリッジ（６０）を前記シェーバーヘッド（４０）に取り付ける請求項４に記載のシェーバー。
【請求項１２】
前記カートリッジ（６０）に設けられたホルダ（６５）は、前記カートリッジ（６０）のバッグ構造体（４８）から、シェービング面から離れる方向に、突出する平面的な閉ループであり、かつ前記カートリッジ（６０）が挿入されると、前記ピン（５０Ｂ）がホルダ（６５）を形成するループに入るため、ピン（５０Ｂ）が前記シェーバーヘッド（４０）内に前記カートリッジ（６０）を保持する請求項４に記載のシェーバー。
【請求項１３】
請求項１から１２のいずれか一項に記載のシェーバーと共に用いられるカートリッジであって、前記カートリッジ（６０）は、少なくとも１つのブレード（６３）を備え、かつ前記カートリッジ（６０）は、シェービング面において延在する前部と、バック構造体（４８）を有する後部と、少なくとも１つのホルダ（６５）と、を備え、前記ホルダ（６５）は、シェービング面から離れる方向にカートリッジ（６０）のバック構造体（４８）から突出する平面的な閉ループであるカートリッジ。
【請求項１４】
前記カートリッジ（６０）は、上壁（６１）と、シェービングエイドと、を備え、前記シェービングエイドが前記上壁（６１）内に設けられた請求項１３に記載のカートリッジ。
【請求項１５】
前記カートリッジ（６０）が、少なくとも１つのブレードを備え、かつ前記少なくとも１つのブレード（６３）が可動にマウントされている請求項１３または１４に記載のカートリッジ。
【請求項１６】
請求項１から１２のいずれか一項に記載のシェーバー用のヘッドおよびハンドルアセンブリであって、前記ヘッドおよびハンドルアセンブリが、
シェーバーヘッド（４０）がマウンティング部分（２２）に取り付けられ、シェーバーヘッド（４０）がカートリッジ（６０）を受けるためのアダプターであり、シェーバーヘッド（４０）がバック構造体（４８）を有する、シェーバーヘッド（４０）と、
ボタン（５０）がシェーバーヘッド（４０）に設けられ、ボタン（５０）がスライド可能であり、ボタン（５０）がカートリッジ（６０）をシェーバーヘッド（４０）に／シェーバーヘッド（４０）から取り付けるおよび外すように構成されているヘッドおよびハンドルアセンブリ。
【請求項１７】
前記シェーバーヘッドが、前記マウンティング部分（２２）に枢動可能に取り付け可能である請求項１６に記載のヘッドおよびハンドルアセンブリ。
【請求項１８】
前記ボタン（５０）が、本体（５０Ｆ）と、ホールド部分（５０Ｂ）と、を備え、かつ前記ホールド部分（５０Ｂ）が、前記本体（５０Ｆ）から突出するピンである請求項１６または１７に記載のヘッドおよびハンドルアセンブリ。
【請求項１９】
前記ボタン（５０）が、シェービング面と平行な方向にスライド可能である請求項１６から１８のいずれか一項に記載のヘッドおよびハンドルアセンブリ。
【請求項２０】
前記シェーバーヘッド（４０）が、前記カートリッジ（６０）を前記シェーバーヘッド（４０）からイジェクトするように構成された少なくとも１つのリーフスプリング（４５）をさらに備える請求項１７または１８に記載のヘッドおよびハンドルアセンブリ。
【発明の詳細な説明】
【技術分野】
【０００１】
本発明は、交換可能なカートリッジを有するシェーバー、並びに、このようなシェーバー用のカートリッジおよびハンドルアセンブリに関する。
より詳しくは、本発明は、シェーバーヘッドを保持するマウンティング部分で終わる細長い本体（elongated body）を有するハンドルと、
交換可能なシェービングカートリッジを収容するように構成されたシェーバーヘッドと、
交換可能なシェービングカートリッジを装填およびシェーバーヘッドからイジェクト可能にするロックおよびリリース機構と、
１つまたは２つ以上のブレードを含む交換可能なカートリッジと、
を備えるシェーバーに関する。
このようなシェーバーは、１つのブレードまたは複数のブレードが摩耗すると、ユーザがカートリッジを交換するのを可能にし、一方、ハンドルおよびシェーバーヘッドは、残して再使用することができる。
【背景技術】
【０００２】
交換可能なブレードカートリッジのシェーバーヘッドからの取り外しは通常、例えば特許文献１に開示されるように、ユーザがカートリッジを押すかまたは引いてカートリッジを実際に交換する必要がある。これは、カートリッジを交換するため、ユーザは、ユーザの指によりカートリッジを受ける必要があることを意味する。
【先行技術文献】
【特許文献】
【０００３】
【特許文献１】欧州特許出願公開第２１９５１４５号明細書
【発明の概要】
【発明が解決しようとする課題】
【０００４】
したがって、ユーザのけがのリスクが増してしまう。
【課題を解決するための手段】
【０００５】
シェーバーが提供され、シェーバーは、細長いハンドグリップ部分およびマウンティング部分を有するハンドルと、
シェーバーヘッドがマウンティング部分に取り付けられ、シェーバーヘッドがバック構造体を有するシェーバーヘッドと、
取り外し可能なカートリッジが少なくとも１つのブレードを備え、取り外し可能なカートリッジがシェーバーヘッドに取り付けられ、かつシェーバーヘッドから外されるように構成された、取り外し可能なカートリッジと、
ボタンがシェーバーヘッドに設けられ、ボタンがスライド可能であり、ボタンがシェーバーヘッドに／シェーバーヘッドから、カートリッジを取り付けるおよび外すように構成された、ボタンと、を備える。
【０００６】
いくつかの態様において、以下の機構の１つまたは２つ以上を用いることも可能である。
シェーバーヘッドは、マウンティング部分に枢着可能に取り付け可能である。
ボタンは、ホールド部分を備え、ホールド部分は、カートリッジをシェーバーヘッドに取り付けるように構成されている。
ボタンは、本体をさらに備え、カートリッジは、ホルダをさらに備え、ホールド部分は、本体から突出するピンであり、かつホールド部分は、ホルダと協働して、カートリッジをシェーバーヘッドに取り付ける。
ボタンは、シェービング面（shaving plane）と平行な方向にスライド可能である。
ボタンは、指受け領域、側壁、底部、本体、およびホールド部分を備え、指受け領域、側壁、および底部は、フレームを形成し、かつ本体は、指受け領域に向かって突出する底部に設けられている。
ボタンは、中立位置を規定し、かつシェーバーヘッドは、リターンスプリングをさらに備え、リターンスプリングは、ボタンを中立位置に戻すように構成されている。
ボタンは、カートリッジを外す場合、シェービング方向に対して直角方向にカートリッジをイジェクトするように構成されている。
シェーバーヘッドは、カートリッジをシェーバーヘッドからイジェクトするように構成された、少なくとも１つのリーフスプリングをさらに備える。
シェーバーヘッドは、側壁を備え、かつシェーバーヘッドは、一対のリーフスプリングをさらに備え、一対のリーフスプリングは、側壁に隣接して設けられている。
カートリッジは、ホルダをさらに備え、かつボタンのホールド部分は、カートリッジのホルダにぶつかって中へ入り、これによりカートリッジをシェーバーヘッドに取り付けている。
ボタンのホールド部分は、本体から突出するピンであり、かつカートリッジを挿入すると、ピンは、ホルダを形成するループに入るため、シェーバーヘッド内にカートリッジを保持する。
【０００７】
本発明の別の態様において、カートリッジが設けられ、カートリッジは、少なくとも１つのホルダを備え、ホルダは、シェービング面から離れる方向にカートリッジから突出する閉ループとして設けられている。
【０００８】
いくつかの態様において、以下の機構の１つまたは２つ以上を用いることも可能である。
カートリッジは、上壁と、シェービングエイドと、をさらに備え、シェービングエイドは、上壁において設けられている。
カートリッジは、少なくとも１つのブレードを備え、かつ少なくとも１つのブレードは、可動にマウントされている。
【０００９】
本発明のまた別の態様において、シェーバー用のヘッドおよびハンドルアセンブリが提供され、
ヘッドおよびハンドルアセンブリは、細長いハンドグリップ部分およびマウンティング部分を有するハンドルと、
シェーバーヘッドがマウンティング部分に取り付けられ、シェーバーヘッドがカートリッジを受けるためのアダプターであり、シェーバーヘッドがバック構造体を有する、シェーバーヘッドと、
ボタンがシェーバーヘッドに設けられ、ボタンがスライド可能であり、ボタンがシェーバーヘッドに／シェーバーヘッドから、取り付けるおよび外れるように構成された、ボタンと、
を備える。
【００１０】
いくつかの態様において、以下の機構の１つまたは２つ以上を用いることも可能である。
シェーバーヘッドは、シェーバーヘッドに枢着可能に取り付けることが可能である。
ボタンは、本体と、ホールド部分と、を備え、かつホールド部分は、本体から突出するピンである。
ボタンは、シェービング面と平行な方向にスライド可能である。
シェーバーヘッドは、シェーバーヘッドからカートリッジをイジェクトするように構成された、少なくとも１つのリーフスプリングをさらに備える。
【００１１】
これらの機構によって、シェーバーヘッドおよびカートリッジの構成は簡素化されるため、製造コストが削減される。さらに、ブレードが消耗すると、シェーバーヘッド全体の交換に代えて、カートリッジのみが交換されるので、このようなシェーバーのコストがより低く抑えられ、一方、シェーバーおよびハンドルの弾力性および寿命は増大される。さらに、カートリッジのみが交換されるので、交換すべき（および廃棄すべき）材料の量が減らされるので、シェーバーは、製造するのがより容易になるとともに、より環境に優しいものとなる。
本発明の他の機構および利点が、非限定的な例として開示された以下のその実施形態の説明および添付図面から容易に明らかとなる。
【図面の簡単な説明】
【００１２】
【図１ａ】図１ａは正面からのシェーバーの全体図を示す。
【図１ｂ】図１ｂは背面からのシェーバーの全体図を示す。
【図１ｃ】図１ｃは線Ｉｃに沿ったシェーバーの断面図を示す。
【図２ａ】図２ａはハンドルの前部分を示す。
【図２ｂ】図２ｂはカムフォロアおよびスプリングを有するハンドルの前部分を示す。
【図３ａ】図３ａはカートリッジを有するシェーバーヘッドの分解図を示す。
【図３ｂ】図３ｂはカートリッジを有するシェーバーヘッドの分解図を示す。
【図３ｃ】図３ｃはカートリッジを有するシェーバーヘッドの分解図を示す。
【図４】図４は線ＩＶに沿った、カートリッジなしのシェーバーヘッドの断面を示す。
【図５】図５は線Ｖに沿った、カートリッジなしのシェーバーヘッドの断面を示す。
【図６ａ】図６ａはボタンのボトム側を示す。
【図６ｂ】図６ｂはボタンの全体図を示す。
【発明を実施するための形態】
【００１３】
異なる複数の図面に関して、同じ参照符号は、同様または類似の要素を示す。
図１ａ〜図１ｃは、本発明に係るシェーバーの一実施例を示す。シェーバーは、ハンドル２０と、シェ―バーヘッド４０と、カートリッジ６０と、を備え、これは、１つまたは２つ以上のブレード６３を収容する。同図に示した実施例に関して、４つのブレード６３がカートリッジ６０内にある。
しかしながら、より多くのブレードまたはより少ないブレードを用いることも可能である。
【００１４】
（図３ａ〜図３ｃに示されるような）カートリッジ６０は、上壁６１と、２つの側壁６２と、底壁６７と、（図３ａに詳しく示されるような）バック構造体と、を有するフレームとして形成されている。上壁６１と底壁６７とは、側壁６２により、伸長および接続されている。カートリッジ６０のフレームは、プラスチックから成形が可能であり、好ましくはフレームがワンピースである。上壁６１は、シェービングエイド（shaving aid）（図示省略）をさらに備えることが可能である。ブレード６３は、２つの側壁６２間を延在し、上壁６１および底壁６７に平行である。ブレード６３は、ベントシートメタル（bent sheet metal）からつくることが可能であり、または、好ましくは、ブレード６３は、ストレートであり、かつブレードサポート６３Ａによって支持が可能である。ブレード６３および／またはブレードサポート６３Ａはそのとき、側壁６２内に設けられる。さらに、ブレードは、たとえば運動可能に設置することが可能である。側壁６２には、弾性フィンガー６４が設けられてもよく、弾性フィンガー６４は、ブレード６３に対して平行な方向にカートリッジフレームの内側に向かって延在していると共に、ブレード６３を運動可能に支持している。ブレード６３は、一対のベントメタルストリップ６６によりカートリッジ６０内に保持可能であり、これは、ブレード６３の端部を取り囲むため、ブレード６３の端部を所定位置に保持する。ブレードのエッジにより規定される平面内に位置する上壁６１において、シェービングエイドは、設けることが可能である。他の実施形態において、ブレードは、固定されている。
【００１５】
ハンドル２０は、細長いハンドグリップ部分（図示省略）を有し、ハンドグリップ部分には、ユーザのグリップを増強しかつスリップするのを防ぐのに役立つ、リブ（ribs）、ペグ（pegs）、弾性パーツなどの機構が設けられてもよい。ハンドル２０は好ましくは、プラスチック材料から成形される。ハンドル２０は、図２ａおよび図２ｂに示されるように、ハンドルから延在する２つのヨーク２１において終端となる。ヨーク２１はマウンティング部分で終わり、マウンティング部分は、シェルベアリング２２の形態で設けることが可能である。次にシェルベアリング２２は、シェーバーヘッド４０に設けられた補完的くぼみ４１と協働する。シェルベアリング２２と補完的くぼみ４１とは共に、シェーバーヘッド４０を、ブレード６３の長さ方向に平行な軸の周りに、枢動可能にする。代替的に、シェルベアリング２２は、ヒンジ、ピン、または他の枢動手段により、置き換えることが可能であり、シェーバーヘッド４０は、枢動手段なしに、ハンドル２０に取り付けることも可能である。ここで、枢動ヘッドのみが説明される。
【００１６】
ヨーク２１は、ヨーク２１間に位置付けられたギャップ２３を、さらに規定する。ギャップ２３は、カムフォロア２４を収容する。カムフォロア２４は、シェーバーヘッド４０のバック構造体４８の一部として設けられたレスト（rests）４３と協働し、したがってシェーバーヘッド４０が枢動されると、シェーバーヘッド４０が中立位置に戻されるのを可能にする。カムフォロア２４はコイルスプリング３６により動かされ、コイルスプリング３６は好ましくは金属製である。カムフォロアは好ましくは分岐端（bifurcated end）を有し、したがって２つの突起２４Ａを形成している。このようにしてカムフォロア２４は、シェーバー４０に設けられた他の機構と干渉しない。
【００１７】
シェーバーヘッド４０の実施例は、図３ａ〜図３ｃおよび図４に示されている。シェーバーヘッドは、上壁４７と、バック構造体４８と、底壁４６と、対の側壁４２と、を備える。底壁４６は、好ましくはエラストマー材料製の皮膚エンゲージ要素（skin engaging element）またはガード４４を含むことが可能である。カートリッジが挿入されると、ガード４４は、シェービング面に全体的に横たわるように設けられている。バック構造体４８は、凹部４１を備え、凹部４１は、ハンドル２０の端部に配置されたシェルベアリング２２を収容する。バック構造体４８に関して、一対のレスト４３もあり、レスト４３は、カムフォロア２４の突起２４Ａと協働して、シェーバーヘッド４０を中立位置に戻す。バック構造体４８は、ボタン５０をさらに備える。ボタン５０は、カートリッジ６０をシェーバーヘッド４０に取り付け、かつカートリッジ６０をシェーバーヘッド４０から外すように構成されている。
【００１８】
ボタン５０は、指受け領域５０Ａと、側壁５０Ｃと、底部５０Ｄと、を備え、ともに略三角形フレームを形成している。ボタン５０は、底部５０Ｄから突出していると共にフレーム内に位置付けられた本体５０Ｆと、ホールド部分５０Ｂと、をさらに備える。ホールド部分５０Ｂは、本体５０Ｆから指受け領域５０Ａに向かって突出しているピン５０Ｂの形を成すことが可能である。指受け領域５０Ａは、ユーザの指により押されるように構成されている。指受け領域５０Ａは、ペグ、弾性パーツなどのユーザの指が滑るのを防ぐ機構を用いることも可能である。ボタン５０Ａは、指受け領域５０Ａがシェーバーヘッド４０の上壁４７に隣接するように、シェーバーヘッド４０内に位置付けられ、側壁５０Ｃはシェーバーヘッド４０の側壁４２と平行であり、かつ底部５０Ｄはシェーバーヘッド４０の底壁４６と隣接して位置付けられている。
シェーバーヘッド４０の底壁４６において、スプリングホルダ５２が設けられている。スプリングホルダ５２は、スプリング５１を保持する。スプリングホルダ５２は好ましくは、シェーバーヘッド４０の底壁４６から上壁４７に向かって突出しているスモールペグの形を成す。ボタン５０の底部５０Ｄは、スプリングホルダ５２に隣接して配置されている。
【００１９】
図３ａ〜図３ｃ、図４、および図５に示されるように、ボタン５０は、ボタンホルダ５３により、シェーバーヘッド４０に取り付けられる。ボタンホルダ５３は、ボタン５０の本体５０Ｆを取り囲むため、ボタン５０がシェーバーヘッド４０から外れてしまうのを防ぐ。具体的には、ボタンホルダ５３は、フラットな上側部分５３Ａを有し、これはボタン５０の本体５０Ａと重なると共に、ボタン５０をシェーバーヘッド４０に取り付ける。ボタン５０は、ボタンホルダ５３によりスライド可能となるように保持される。側壁５０Ｃは、ボタンホルダ５３とレスト４３との間に配置されている。ボタン５０の指受け領域５０Ａが下方（シェーバーヘッド４０の底壁４７に向かう方向に）へ押されると、側壁５０Ｃは、トラック（tracks）として機能し、したがってボタン５０のスライドを容易にしている。
【００２０】
ボタン５０の底部５０Ｄにおいて、キャビティ５０Ｅがある。キャビティは、リターンスプリングを収容する。リターンスプリング５１は、例えばリーフスプリングとして設けられてもよい。図に示される実施形態において、リターンスプリング５１は、コイルスプリング５１として設けられている。コイルスプリング５１は、スプリングホルダ５２に設けられ、スプリングホルダ５２は、スプリングを支持すると共に、コイルスプリング５１のひずみを防ぐのに役立つ可能性がある。コイルスプリング５１は戻る力を付与し、戻る力は、ユーザが、ユーザの指をボタン５０の指受け領域５０Ａから離すと、ボタン５０がその初期位置に戻されるように促す。ボタン５０がユーザにより押されると、コイルスプリング５１は圧縮される。ボタン５０がユーザによりリリースされると、コイルスプリング５１は、シェーバーヘッ４０の上壁４７に向かう方向にボタン５０を戻す。ボタン５０の上方への動きは、ボタンホルダ５３の上側部分５３Ａにより止められる。したがって、ボタンは、予期せぬ外れ（accidental disengaging）ができない。
【００２１】
シェーバーヘッド４０は、カートリッジ６０が収容可能なシーティング（seating）を形成する。カートリッジ６０は好ましくは、前から、つまりシェービング方向に対して直角方向から挿入される。
【００２２】
カートリッジ６０がシェ―バーヘッド４０に挿入されると、ボタン５０に設けられたピン５０Ｂにぶつかって中へ入る。図３ａ〜図３ｃに示される実施形態において、カートリッジ６０のバック構造体には、ホルダ６５が設けられ、ホルダ６５は、ボタン５０に設けられたピン５０Ｂが、ぶつかって中へ入ることができる。カートリッジ６０に設けられたホルダ６５は、カートリッジ６０のバック構造体から概してシェービング面から離れる方向に突出する平面的な閉ループの形を成す。ループは、面を規定し、好ましくは、ループにより規定されるこの面は、シェービング方向に対して直角である。この実施形態において、ホルダ６５は、ピン５０によりぶつけられて中へ入れられると、ピン５０Ｂは、ホルダ６５を形成するループに入るため、シェービングヘッド４０内にカートリッジ６０を保持する。
【００２３】
カートリッジ６０がシェービングヘッド４０内に挿入されると、カートリッジ６０は好ましくは、シェービングヘッド４０に対して運動を行わない。シェービングヘッド４０は、ハンドル２０に対して枢動可能に取り付けられ、好ましくは枢動手段２２、４１が、シェービングヘッド４０におよびハンドル２０に設けられるが、カートリッジ６０に設けられない。
【００２４】
ユーザがカートリッジ６０の交換を望む場合、ユーザはボタン５０を押す。ボタン５０はシェーバーヘッド４０の底壁４６に向かって下方に動かされ、かつカートリッジ６０は外される。より具体的には、ピン５０Ｂがホルダ６５を形成するループから外され、かつカートリッジ６０は、もはやシェービングヘッド４０内に保持されない。
一旦、ホルダ６５がピン５０Ｂから外されると、カートリッジ６０は、イジェクト可能である。この目的のために、少なくとも１つのリーフスプリング４５は、シェービングヘッド４０内に設けることが可能である。好ましくは、シェービングヘッド４０には、シェーバーヘッド４０の側壁に隣接して配置された２つのリーフスプリング４５が設けられる。カートリッジ６０がシェービングヘッド４０内に挿入されると、リーフスプリング４５は、それ自身が張力下であることを知る。カートリッジ６０が外されると、リーフスプリング４５は、シェーバーヘッド４０からカートリッジ４５を、シェービング面に対して略直交する方向にイジェクトする。
【００２５】
図３ａ〜３ｃおよび図４に示される実施形態において、リーフスプリング４５は、外端４５Ａと、Ｖ字体４５Ｂと、細長い部分４５Ｃと、を備える。Ｖ字体４５Ｂの一端に、細長い部分４５Ｃが設けられている。細長い部分４５Ｃは、Ｖ字体４５Ｂの隣接するブランチに対して約９０だけ曲げられている。細長い部分４５Ｃは、リーフスプリングシート４９と協働する。リーフスプリングシート４９は、シェーバーヘッド４０内において、側壁４２と隣接して設けられている。リーフスプリングシート４９は、リーフスプリング４５の細長い部分４５Ｃを、スナップ嵌め、または摩擦もしくは接着力により、保持するように構成されている。リーフスプリング４５が、リーフスプリングシート４９に挿入されると、一方のブランチは、シェーバーヘッド４０のバック構造体に寄り掛かるが、他方のブランチは、シェービング面に向かって斜めに突出する。Ｖ字体４５Ｂの頂点は、シェーバーヘッド４０の内側に向かって方向を定められている。細長い部分４５Ｃに対向する端部に、外端４５Ａが設けられている。外端４５Ａは、シェービング面と平行となるように曲げられている。このように、カートリッジは、挿入されると、まずリーフスプリング４５の外端４５Ａによりぶつかって中へ入ると共に、カートリッジ６０の摩擦損傷が低減される。
【００２６】
リーフスプリング４５は好ましくは金属製であるが、プラスチックまたは弾性特性を有する材料などの任意の適した材料で作られることも可能である。
【００２７】
ボタン５０に設けられたピン５０Ｂと協働するホルダ６５を用いる上述した機構は、さまざまな利点をもたらす。唯一交換されるコンポーネントは、カートリッジ６０であり、カートリッジ６０はそれ自体、（枢動手段などの）追加の機構を保持しない。したがって、カートリッジ６０の価格は下げることが可能であり、かつその製造プロセスは簡素化することが可能である。シェーバーヘッド４０およびハンドル２０は、交換されないので、価格をリーズナブルにしつつ、よりロバストであるように製造可能である。特に、枢動運動を行うために設けられた枢動手段は、カートリッジと一緒に交換されないため、信頼性をより高く製造可能である。さらに、シェーバーヘッド４０内にカートリッジ６０を保持する機構は、製造するのが簡単であると共に、操作しやすい。カートリッジ６０は、より少ない量の水で洗浄可能であるので、カートリッジ６０の簡素化された構造はさらに、持続可能性に関して効果的である。
【００２８】
しかも、リーフスプリング４５が設けられる場合、カートリッジが外されるとき、ユーザは、ユーザの指がカートリッジに触れる必要がなく、ひいてはユーザの指をブレード６３で切るリスクが低減される。
【００２９】
さらに、ボタン５０は、シェーバーヘッドに設けられるので、スライド可能および／またはプッシュボタンを含むための、スペースおよび／またはボリューム条件がない。したがって、ハンドルは、より効率的に、より弾力的などとなるように、設計可能である。ボタン５０自身のボリュームは、小さくすることができ、したがって材料の消費を減らす。
【００３０】
シェ―バーヘッド４０に隣接するハンドル２０の上部には、フィンガーレスト（finger rest）３０を設けることが可能である（図７ａおよび図７ｂ参照）。フィンガーレスト３０は、前端３０Ａと、後端３０Ｂと、を有する。フィンガーレスト３０がハンドルから外れるのを防ぐため、トレイル２７Ｂと協働する一対のガイド３７がある。各ガイドトレイル２７Ｂから外れないことを確実にするように、ガイド３７には、曲げられた下方部分３７Ａが設けられている。このように、ガイド３７は、ガイドトレイル（guide trails）２７Ｂと協働状態にあるとき、フィンガーレスト３０が、他の場所に動いてしまうのを防ぎ、かつフィンガーレスト３０がハンドル２０から外れてしまうのも防いでいる。
【００３１】
フィンガーレスト３０は、ボタン３０の上部に設けられた指受け領域３２を有する。指受け領域３２は、ユーザの指が滑るのを防ぐのに役立つ機能を備えることが可能である。フィンガーレスト３０にはまた、コイルレスト３５が設けられ、コイルレスト３５は、ハンドル２０に隣接するフィンガーレスト３０の後端３０Ｂに配置されている。コイルレスト３５は、コイルスプリング３６と協働する。シェーバーヘッド４０が枢動されると、コイルスプリング３６は、シェーバーヘッド４０を中立位置に戻す。
【００３２】
さらに、図７ａおよび図７ｂからわかるように、フィンガーレスト３０は、一対のセーフガード３３を備える。セーフガード３３は概して、フィンガーレスト３０から下方に突出するピンの形を成す。ハンドルは、ハンドル２０に作られた溝２６に、これらのセーフガード３３を受けるように構成されている。セーフガード３３は、ヨーク２１同士が誤って互いに近づくように動くのを防いでいる。ヨーク２１が互いに近づくように動くことができない場合、ヨーク２１がシェーバーヘッド４０全体を誤ってリリースしてしまうリスクは低減され、したがってユーザがけがをするリスクは低減する。
【符号の説明】
【００３３】
２０  ハンドル
２１  ヨーク
２２  シェル型ベアリング
２３  ギャップ
２３  ギャップ
２４  カムフォロア
２４Ａ  突出部
３６  コイルスプリング
４０  シェーバーヘッド
４３  レスト
４８  バック構造体
６０  カートリッジ
６２  側壁
６３  ブレード
６３Ａ  ブレードサポート
６４  弾性フィンガー
６７  底壁
【図１ａ】
0006017703.tif 000002
【図１ｂ】
0006017703.tif 000003
【図１ｃ】
0006017703.tif 000004
【図２ａ】
0006017703.tif 000005
【図２ｂ】
0006017703.tif 000006
【図３ａ】
0006017703.tif 000007
【図３ｂ】
0006017703.tif 000008
【図３ｃ】
0006017703.tif 000009
【図４】
0006017703.tif 000010
【図５】
0006017703.tif 000011
【図６ａ】
0006017703.tif 000012
【図６ｂ】
0006017703.tif 000013